(57)【要約】【課題】  バージョン番号が付与されているオブジェクトが持つ属性値、作成日時や更新日時を変更することなく、新しい管理体系におけるバージョン番号に変更できるようにしたバージョン制御装置および方法およびプログラムを提供する。【解決手段】  新しい管理体系におけるバージョン番号のキーとなる属性であるキー属性とその順番を特定する順属性とその整列順を操作情報入力部１１０で入力し、テーブル保存部１４０で保存されたオブジェクト情報格納テーブルから制御部１２０で該キー属性の組み合わせに基づいたオブジェクトＩＤを取得してオブジェクトＩＤごとに行番号の項目を設ける。このときテーブル制御部１３０でオブジェクト情報格納テーブルの[バージョン番号]の項目を"空白"にする。続いてオブジェクトＩＤを順属性に基づいて昇順に整列し、行番号の項目に行の番号を採番して行番号の項目を"空白"にした[バージョン番号]の項目に更新する。【選択図】図１
2006031249.tif 000002
【特許請求の範囲】
【請求項１】
文書や画像ファイルなどのオブジェクトの少なくとも１つの属性をバージョン番号の管理体系の基準となるキー属性として格納されたオブジェクトに対してバージョン番号を付して管理するファイル管理装置において、
前記バージョン番号の管理体系の基準となる前記キー属性を変更するキー属性変更手段と、
前記キー属性変更手段で変更したキー属性によるバージョン番号の順番を特定するオブジェクトの属性を指定する順属性指定手段と、
前記キー属性変更手段で変更した前記キー属性を有するオブジェクトを抽出して、前記順属性指定手段により指定された順番でオブジェクトのバージョン番号を再採番するバージョン番号再採番手段と
を具備することを特徴とするファイル管理装置。
【請求項２】
文書や画像ファイルなどのオブジェクトの少なくとも１つの属性をバージョン番号の管理体系の基準となるキー属性として格納されたオブジェクトに対してバージョン番号を付して管理するファイル管理装置のバージョン番号再採番方法において、
前記バージョン番号の管理体系の基準となる前記キー属性をキー属性変更手段により変更し、
前記キー属性変更手段で変更したキー属性によるバージョン番号の順番を特定するオブジェクトの属性を順属性指定手段により指定し、
前記キー属性変更手段で変更した前記キー属性を有するオブジェクトを抽出して、前記順属性指定手段により指定された順番でオブジェクトのバージョン番号をバージョン番号再採番手段により再採番する
ことを特徴とするバージョン番号再採番方法。
【請求項３】
文書や画像ファイルなどのオブジェクトの少なくとも１つの属性をバージョン番号の管理体系の基準となるキー属性として格納されたオブジェクトに対してバージョン番号を付して管理するファイル管理装置のバージョン番号再採番処理をコンピュータにより実行させるバージョン番号再採番プログラムであって、
前記バージョン番号の管理体系の基準となる前記キー属性を変更する第１のステップと、
前記第１のステップで変更したキー属性によるバージョン番号の順番を特定するオブジェクトの属性を指定する第２のステップと、
前記第１のステップで変更した前記キー属性を有するオブジェクトを抽出して、前記第２のステップで指定された順番でオブジェクトのバージョン番号を再採番する第３のステップと
を含むことを特徴とするバージョン番号再採番プログラム。
【発明の詳細な説明】
【技術分野】
【０００１】
本発明は、文書や画像ファイルなどのオブジェクトにバージョン番号を付して管理するファイル管理装置およびそのバージョン番号再採番方法およびバージョン番号再採番プログラムに関し、特に、バージョン番号の管理体系の基準となるオブジェクトのキー属性の変更を可能にするとともに、該キー属性の変更に伴いバージョン番号の再採番を自動的に行うことができるようにしたファイル管理装置およびそのバージョン番号再採番方法およびバージョン番号再採番プログラムに関する。
【背景技術】
【０００２】
一般に、文書や画像ファイルなどのオブジェクトに付与されたバージョン番号は、作成・更新が行われた順に自動的に付与される値であるため任意に変更することが出来ないように構成されている。
【０００３】
このため、バージョン番号の管理体系を変更したり、バージョン番号によるオブジェクトの並び替えを行ったりといったバージョン番号の操作を行うことができない。
【０００４】
オブジェクトの登録時に付与するバージョン番号を指定できるようにし、指定したバージョン番号が登録されているオブジェクトのバージョン番号と同一の場合にはバージョン番号の不整合が生じないように登録を行えないようにした従来技術として、特許文献１に開示されたものがある。
【０００５】
この特許文献１に開示された従来技術においては、最新バージョンのオブジェクトを登録した後に、旧バージョンのオブジェクトを登録することも可能である。
【特許文献１】特開２００２−１２３４１４
【発明の開示】
【発明が解決しようとする課題】
【０００６】
しかしながら、特許文献１に示された従来技術においては、手作業でバージョンの変更を行うオブジェクトを選択して再採番処理を繰り返して行わなければならないため再採番処理に膨大な作業工数必要になり、さらに既存オブジェクトの再採番を行うには一度、別の保存位置に取り出して再採番を行い、再度登録を行わなければならないためオブジェクトの移動に伴う作成日時や更新日時などの変更が発生し、既存のデータを利用できない場合があるという問題がある。
【０００７】
そこで、本発明は、バージョン番号が付与されているオブジェクトが持つ属性値、作成日時や更新日時を変更することなく、新しい管理体系におけるバージョン番号に変更できるようにしたバージョン制御装置および方法およびプログラムを提供することを目的とする。
【課題を解決するための手段】
【０００８】
上記目的を達成するため、請求項１の発明は、文書や画像ファイルなどのオブジェクトの少なくとも１つの属性をバージョン番号の管理体系の基準となるキー属性として格納されたオブジェクトに対してバージョン番号を付して管理するファイル管理装置において、前記バージョン番号の管理体系の基準となる前記キー属性を変更するキー属性変更手段と、前記キー属性変更手段で変更したキー属性によるバージョン番号の順番を特定するオブジェクトの属性を指定する順属性指定手段と、前記キー属性変更手段で変更した前記キー属性を有するオブジェクトを抽出して、前記順属性指定手段により指定された順番でオブジェクトのバージョン番号を再採番するバージョン番号再採番手段とを具備することを特徴とする。
【０００９】
また、請求項２の発明は、文書や画像ファイルなどのオブジェクトの少なくとも１つの属性をバージョン番号の管理体系の基準となるキー属性として格納されたオブジェクトに対してバージョン番号を付して管理するファイル管理装置のバージョン番号再採番方法において、前記バージョン番号の管理体系の基準となる前記キー属性をキー属性変更手段により変更し、前記キー属性変更手段で変更したキー属性によるバージョン番号の順番を特定するオブジェクトの属性を順属性指定手段により指定し、前記キー属性変更手段で変更した前記キー属性を有するオブジェクトを抽出して、前記順属性指定手段により指定された順番でオブジェクトのバージョン番号をバージョン番号再採番手段により再採番することを特徴とする。
【００１０】
また、請求項３の発明は、文書や画像ファイルなどのオブジェクトの少なくとも１つの属性をバージョン番号の管理体系の基準となるキー属性として格納されたオブジェクトに対してバージョン番号を付して管理するファイル管理装置のバージョン番号再採番処理をコンピュータにより実行させるバージョン番号再採番プログラムであって、前記バージョン番号の管理体系の基準となる前記キー属性を変更する第１のステップと、前記第１のステップで変更したキー属性によるバージョン番号の順番を特定するオブジェクトの属性を指定する第２のステップと、前記第１のステップで変更した前記キー属性を有するオブジェクトを抽出して、前記第２のステップで指定された順番でオブジェクトのバージョン番号を再採番する第３のステップとを含むことを特徴とする。
【発明の効果】
【００１１】
本発明によれば、文書や画像ファイルなどのオブジェクトに付与された属性情報のうちキーとなる属性を指定し、バージョン番号の付与順序を示すオブジェクト属性に基づいて、該キーとなる属性を保持する当該オブジェクトにユニークなバージョン番号を再採番するように構成したので、すでにバージョン番号が付与された上記オブジェクトに対しても新たなバージョン番号管理体系で再採番を行うことが可能になるという効果を奏する。
【発明を実施するための最良の形態】
【００１２】
以下、本発明に係わるバージョン制御装置および方法の一実施例を添付図面を参照して詳細に説明する。
【００１３】
なお、本願発明のバージョン制御装置および方法およびプログラムは、文書、画像ファイル、ソースファイルなどに代表されるようなバージョンを管理する装置におけるバージョン番号の採番に適用可能であるが、以下に示す例では文書におけるバージョン番号の再採番について説明する。
【実施例】
【００１４】
図１は、本発明に係わるファイル管理装置によるバージョン番号再採番を行うシステム構成図である。
【００１５】
図１には、操作情報入力部１１０、制御部１２０、テーブル制御部１３０、テーブル保存部１４０、オブジェクト保存部１５０、一時格納領域１６０を具備して構成される。
【００１６】
操作情報入力部１１０は、図３に示す画面を用いてバージョン番号の再採番を行う条件を入力する。入力される情報は、新たなバージョン管理体系のキーとなる属性である「キー属性項目」とバージョン番号の順番を指定する「順指定項目」があり、さらに「順指定項目」にはバージョン番号の順番を指定する属性である「順属性」とその並び方（昇順または降順）である「整列順」が入力でき、これらの情報にしたがってバージョン番号の再採番を行う。
【００１７】
制御部１２０は、抽出部１２１、並び替え部１２２、バージョン番号採番部１２３を具備して構成されており、バージョン番号が管理されたテーブルのバージョン番号の再採番を制御する。
【００１８】
抽出部１２１は、テーブル保存部１４０に保存されたオブジェクト情報格納テーブルから操作情報入力部１１０で入力したキー属性項目の組み合わせ（以下、「属性値セット」という））を重複なく抽出し、更に抽出した属性値セットに該当するオブジェクトＩＤをオブジェクト情報格納テーブルから取得する。
【００１９】
並び替え部１２２は、抽出部１２１で取得したオブジェクトＩＤを操作情報入力部１１０の順属性で指定した属性に基づいて昇順に整列する。
【００２０】
採番部１２３は、並び替え部１２２により整列されたオブジェクトＩＤに行番号をそれぞれ採番する。つまり、オブジェクトＩＤを３つ取得した場合には、昇順に整列されたオブジェクトＩＤ順に「１，２，３，・・・」と採番する。
【００２１】
以上に示した抽出部１２１と並び替え部１２２と採番部１２３の処理を抽出部１２１で抽出した属性値セットの数だけ繰り返し行う。
【００２２】
テーブル制御部１３０は、バージョン番号の再採番を行うオブジェクト情報格納テーブルの[バージョン番号]の項目を"空白"にし、そして採番部１２３によりバージョン番号が採番された後に、オブジェクト情報格納テーブルを更新する。
【００２３】
テーブル保存部１４０は、バージョン番号などのオブジェクト情報が管理されたオブジェクト情報格納テーブルを保存する。
【００２４】
オブジェクト保存部１５０は、文書や画像ファイルなどのオブジェクトの実体を保存する。
【００２５】
なお、テーブル保存部１４０とオブジェクト保存部１５０とをいっしょに管理するような構成にしてもよい。
【００２６】
一時格納領域１６０は、抽出部１２１と並び替え部１２２と採番部１２３の処理が行われる領域である。一時格納領域１６０に保存されたテーブルなどは、一連のバージョン番号の再採番が行われたのちに消去される。
【００２７】
このような構成によると、キー属性に指定した属性が持つ値によりバージョン番号の再採番を行うことができ、新たなバージョン番号管理体系の基で管理することが可能になる。
【００２８】
図２は、本発明に係わるバージョン制御装置によりバージョン番号の再採番が行われる前の状態におけるテーブル構造を示す図である。
【００２９】
図２において、バージョン番号管理状態を示すオブジェクト情報格納テーブルであり、キー属性として「属性１」が指定された管理体系のもとでバージョン番号の管理が行われている状態を示す。
【００３０】
オブジェクト情報格納テーブルは、[オブジェクトＩＤ]を主キーとして昇順にソートが行われている。このとき、[オブジェクトＩＤ]が「111111」のレコードには[属性１]の値として「ＡＡＡ」が、[属性２]の値として「ＢＢＢ」が、さらに[作成日時]の値として「20031225130522」、[バージョン番号]の値として「１」が格納されている状態を示している。このような構成を[オブジェクトＩＤ]ごとにそれぞれ保持している。ここで属性の値として"空白"であるフィールドは、[オブジェクトＩＤ]の付与されたオブジェクトが当該属性を持たないかまたは、属性の値が"空白"であることを示している。
【００３１】
例えば、[オブジェクトＩＤ]が「222222」であるレコードの[属性３]の値が"空白"であるが、これは[オブジェクトＩＤ]が「222222」のオブジェクトには[属性３]という属性を保持していないか、または、[属性３]という属性を保持しているが値が"空白"であるかのいずれかを示していることになる。
【００３２】
ここで"空白"とは、実際のデータベース構造においては「NULL」という値が格納されていることを示している。
【００３３】
以上のような構成を持つオブジェクト情報格納テーブルでは、[属性１]がバージョン番号の管理を行うキー属性として設定されており、該[属性１]によってグルーピングが行われ、[作成日時]の古いものから順にバージョン番号が付与されている。
【００３４】
図２に示す例では、[属性１]の値として「ＡＡＡ」と「ＣＣＣＣ」の２つの値が示されており、まず[属性１]に「ＡＡＡ」を持つオブジェクトＩＤ「111111」「222222」「333333」を同一のグループとして[作成日時]に基づいてバージョン番号を採番している。次に、[属性１]に「ＣＣＣＣ」を持つオブジェクトＩＤ「444444」〜「999999」についても同様にバージョン番号を採番している。
【００３５】
図３は、本発明に係わるバージョン制御装置でバージョン番号の再採番を行う際の管理設定を変更するバージョン管理設定の変更画面を示す図である。
【００３６】
図３には、バージョン管理のキーとなる属性を設定するキー属性設定項目３０１、バージョン番号の順番を指定する順指定項目３０２、実行ボタン３０３、キャンセルボタン３０４を具備して構成される。
【００３７】
キー属性設定項目３０１は、新しい管理体系におけるバージョン番号を管理するキー属性を指定することができ、指定属性名称３０５、追加ボタン３０６、削除ボタン３０７を具備して構成される。例えば、図３に示すように指定属性名称３０５として「属性１」と「属性２」が指定されている場合には、これらの属性に基づいて新たなバージョン番号を再採番する。
【００３８】
このときキー属性となる属性を追加するには、追加ボタン３０６を押下して表示される追加可能な属性の一覧から追加したい属性を選択する。また追加した属性を変更、削除するには削除ボタン３０７を押下して現在表示されている属性から削除したい属性を選択する。
【００３９】
これらの操作により新たな管理体系における属性を指定することができるようになる。
【００４０】
順指定項目３０２は、上記キー属性設定項目３０１で指定したキー属性によるバージョン番号の順番を特定する項目であり、順属性指定項目３０８、指定ボタン３０９、整列順３１０を具備して構成される。
【００４１】
順属性指定項目３０８は、指定ボタン３０９を押下することによりバージョン番号の順番を特定するオブジェクトの属性を指定する。
【００４２】
整列順３１０は、順属性指定項目３０８により指定された属性に基づいて整列順序である「昇順」「降順」のいずれかを選択する。
【００４３】
これらにより指定された各項目について実行ボタン３０３を押下することによりこれらの条件に基づいてバージョン番号の再採番を実行するトリガになる。またキャンセルボタン３０４を押下することにより取り消すことができる。
【００４４】
したがってそれぞれの使用用途に基づいて文書に付与された特別な属性についても一般的な属性と同様に取り扱いができ、バージョン番号のキー属性として指定することができるようになる。
【００４５】
図４は、本発明に係わるバージョン制御装置によるオブジェクト情報格納テーブルの処理内容を示す図である。
【００４６】
図４において、図４（ａ）は、図２に示すオブジェクト情報格納テーブルにおける[バージョン番号]の項目すべてを"空白"にした状態を示したテーブル４０１である。図４（ｂ）は、図４（ａ）に示すテーブル構造のうち図３に示したバージョン管理設定の変更画面３００で設定したキー属性が持つ値の属性値セットを重複なく、抜き出したテーブル４０２である。図４（ｃ）は、図４（ｂ）で抜き出した属性値セットから一つの属性値セットを更に抜き出したテーブル４０３である。
【００４７】
図４（ａ）に示すように図２のオブジェクト情報格納テーブルの[バージョン番号]の項目だけを"空白"にして新たなバージョン番号の採番を行う準備をしている。図４（ｂ）に示す属性値セット単位で新たなバージョン番号を採番することになる。そして図４（ｃ）で採番を行う属性値セットを指定していることになる。
【００４８】
このとき図４（ｂ）に示すテーブルと図４（ｃ）に示す１つの属性値セットを抜き出したテーブルは、再採番を行う時に一時的な領域に作成されるテーブルであってバージョン番号の再採番の処理が終了すると同時に消去される。これによりディスク容量の増加を防ぎ、データベーステーブルを操作しないので不整合状態になることをあらかじめ防ぐことができる。
【００４９】
図５は、バージョン番号の採番を行うバージョン番号採番テーブルを示す図である。
【００５０】
図５において、図４（ｃ）に示す属性値セットに対して図４（ａ）に示す[バージョン番号]の項目を"空白"にしたオブジェクト情報格納テーブルからオブジェクトＩＤを抜き出して[行番号]の項目を付け加えたテーブルを示している。
【００５１】
図５（ａ）は、図４（ｃ）で属性１の値が「ＣＣＣＣ」であり、属性２の値が「ＤＤＤＤ」である属性値セットを持つオブジェクトＩＤ「444444」「666666」「999999」を抜き出して[行番号]の項目を[バージョン番号]の項目の右側に付与したテーブルである。
【００５２】
図５（ｂ）は、図５（ａ）の[行番号]の項目にオブジェクトＩＤが「444444」である[行番号]の項目を”１”として順次、行の番号を付与したテーブルである。
【００５３】
このようにして[行番号]の項目に付与された値を図４（ａ）に示す[バージョン番号]の項目に更新し、これらの処理を図４（ｂ）の各属性値セットに対して順次繰り返し行うことで新たなキー属性によって再採番を行うことができるようになる。
【００５４】
このとき、図４（ｂ）や図４（ｃ）と同様に一時領域に作成され、バージョン番号の再採番が行われて図２に示したオブジェクト情報格納テーブルの[バージョン番号]の項目に反映されると消去される。
【００５５】
上記処理により、指定した属性値セットを持つオブジェクトに対してバージョン番号の再採番を行うことができる。
【００５６】
なお、図５（ａ）に示すオブジェクト情報テーブルから抜き出す項目を[オブジェクトＩＤ]のほかに図３の順属性指定項目３０８で指定された項目についても同様に抜き出してもよい。
【００５７】
例えば、順属性指定項目３０８が「作成日時」である場合には図４（ａ）に示すオブジェクト情報格納テーブルから[オブジェクトＩＤ]と[作成日時]の両項目を同時に抜き出し、図３の整列順３１０で指定した整列順序で整列するような構成にしてもよい。
【００５８】
これは、作成されたオブジェクトの順番とデータベースを更新した順番が異なる場合においても図３に示す順属性指定項目３０８で指定した順に基づいてバージョン番号を再採番することが可能となる。この場合の例を図８に示している。
【００５９】
以上図４（ｃ）から図５（ｂ）に示した処理を図４（ｂ）で取り出した属性値セットの数だけ繰り返し行う。
【００６０】
これにより、図４（ａ）に示したオブジェクト情報格納テーブル４０１の"空白"である[バージョン番号]にバージョン番号を付与することができる。
【００６１】
図６は、本発明に係わるバージョン制御装置によりバージョン番号の再採番が行われた状態のオブジェクト情報格納テーブルを示す図である。
【００６２】
図６において、図４（ｃ）、図５（ａ）、図５（ｂ）に示したテーブルの処理を図４（ｂ）で取り出した属性値セットの数だけこの順序で繰り返し行い、バージョン番号の再採番を行った状態のテーブルを示している。
【００６３】
つまり、抜き出した属性値セットの数だけ更新を行うことでバージョン番号の再採番機能を実現できる。
【００６４】
次に、バージョン番号の再採番を行うまでの制御フローについて説明する。
【００６５】
図７は、バージョン番号の再採番処理を示すフローチャートである。
【００６６】
図７において、あらかじめオブジェクト情報が格納されたデータベースのテーブルである「オブジェクト情報格納テーブル」のバージョン番号を再採番するという指示により処理が開始され、バージョン番号の再採番時の管理体系におけるキーとなる属性であるキー属性を図３に示すバージョン管理設定の変更画面３００を用いて指定する（Ｓ７０１）。このとき現状の管理体系におけるキー属性をデフォルト表示する。さらに、バージョン番号の順番を特定するオブジェクトの属性である順属性とその順属性によって整列する順序であえる整列順を指定する（Ｓ７０２）。
【００６７】
指定されて実行するとオブジェクト情報格納テーブルのバージョン番号の項目を"空白"（NULL）に設定し（Ｓ７０３）、指定されたキー属性における属性値セットをオブジェクト情報管理テーブルから重複なく、抜き出す（Ｓ７０４）。抜き出した属性値セットによる属性値セットテーブルを生成する（Ｓ７０５）。
【００６８】
さらに、以下に示すＳ７０６〜Ｓ７１０の処理を繰り返し行う。まず、生成された属性値セットテーブルから１組の属性値セットを抜き出して（Ｓ７０６）、その属性値セットに当てはまるオブジェクトＩＤをオブジェクト情報格納テーブルから取得する（Ｓ７０７）。
【００６９】
取得したオブジェクトＩＤごとに行番号の項目を設け（Ｓ７０８）、行番号の項目に行の番号を割り当てていき（Ｓ７０９）、バージョン番号の項目を"空白"にしたオブジェクト情報格納テーブルのバージョン番号の項目にオブジェクトＩＤに基づいた行番号をそれぞれ更新する（Ｓ７１０）。
【００７０】
そして、バージョン番号の再採番のキー属性を更新する（Ｓ７１１）。
【００７１】
図８は、図５に示すバージョン番号を採番するテーブルの変形例のテーブルを示す図である。
【００７２】
図８には、図４（ａ）に示すオブジェクト情報格納テーブルからバージョン番号の再採番を行う項目として[オブジェクトＩＤ]と図３で示した順属性指定項目３０８とを抜き出し、行番号を追加したテーブルを示している。
【００７３】
ここに示す例では、順属性指定項目３０８に「作成日時」が指定され、さらに「作成日時」の昇順に整列が行われた状態を示している。
【００７４】
これによって、作成されたオブジェクトの順番とデータベースを更新した順番が異なる場合においても図３に示す順属性指定項目３０８で指定した順に基づいて行番号項目に行の番号を採番することが可能となる。
【００７５】
以上に示す処理と構成により、既存のバージョン番号が付与されたオブジェクトが持つ作成日時、最終変更日時などの固有情報を変更することなく、所望の属性によるバージョン番号の再採番を行うことが可能になる。
【００７６】
従って、本発明を適用することにより、新規登録を行うオブジェクトに付与されるバージョン番号と既存のオブジェクトに付与されたバージョン番号とを新たなバージョン番号の管理体系の基で管理できるようになるという効果を期待できる。
【００７７】
なお、上記フローチャートに示す処理は、コンピュータにより実行可能なバージョン制御プログラムによっても実現できる。
【００７８】
本発明は、上記し、且つ図面に示す実施例に限定することなく、その要旨を変更しない範囲内で適宜変形して実施できるものである。
【産業上の利用可能性】
【００７９】
本発明は、文書や画像ファイルなどのオブジェクトに付与された既存のバージョン番号を新たなバージョン番号管理体系のもとで管理できるようにしたバージョン制御装置および方法に適用可能であり、特に、オブジェクトに付与された属性のうちバージョン番号の再採番を行う際のキーとなる属性を指定することにより、該キーとなる属性を持つオブジェクト全てに対して新たなバージョン番号の管理体系の基で管理するのに有用である。
【図面の簡単な説明】
【００８０】
【図１】本発明に係わるバージョン制御装置の構成図。
【図２】バージョン番号の再採番が行われる前の状態におけるテーブル構造を示す図。
【図３】本発明に係わるバージョン制御装置でバージョン番号の再採番を行う際の管理設定を変更するバージョン管理設定の変更画面を示す図。
【図４】本発明に係わるバージョン制御装置によるオブジェクト情報格納テーブルの処理内容を示す図。
【図５】バージョン番号の採番を行うバージョン番号採番テーブルを示す図。
【図６】バージョン番号の再採番が行われた状態のオブジェクト情報格納テーブルを示す図。
【図７】バージョン番号の再採番処理を示すフローチャート。
【図８】図５に示すバージョン番号を採番するテーブルの変形例のテーブルを示す図。
【符号の説明】
【００８１】
１１０      操作情報入力部
１２０      制御部
１２１      抽出部
１２２      並び替え部
１２３      採番部
１３０      テーブル制御部
１４０      テーブル保存部
１５０      オブジェクト保存部
１６０      一時格納領域
【図１】
2006031249.tif 000003
【図２】
2006031249.tif 000004
【図３】
2006031249.tif 000005
【図４】
2006031249.tif 000006
【図５】
2006031249.tif 000007
【図６】
2006031249.tif 000008
【図７】
2006031249.tif 000009
【図８】
2006031249.tif 000010